(57)【特許請求の範囲】
【請求項１】
商品登録の際に買い物カゴを載置することが可能なカゴ置き台を備えたレジカウンタにおいて、
前記買い物カゴをショッピングカートの荷台に搭載した状態で、該買い物カゴを商品登録装置の設置位置の上流側における前記カゴ置き台の上面上方に配置できないよう規制する規制手段と、
前記商品登録装置の設置位置の下流側において、前記商品登録装置に隣接し、前記レジカウンタの端部に支持され、前記規制手段を設けないことによって、前記ショッピングカートの荷台に搭載した状態で前記買い物カゴが上面上方に配置可能な空間を有する下流側カゴ置き台と
を有し、
前記下流側カゴ置き台の天板の上面の高さは、前記ショッピングカートの前記荷台の底部よりも低い
ことを特徴とするレジカウンタ。
【請求項２】
商品登録の際に買い物カゴを載置することが可能なカゴ置き台を備えたレジカウンタにおいて、
前記買い物カゴをショッピングカートの荷台に搭載した状態で、該買い物カゴを商品登録装置の設置位置の上流側における前記カゴ置き台の上面上方に配置できないよう規制する規制手段と、
前記商品登録装置の設置位置の下流側において、前記商品登録装置に隣接し、前記レジカウンタの端部に支持され、前記規制手段を設けないことによって、前記ショッピングカートの荷台に搭載した状態で前記買い物カゴが上面上方に配置可能な空間を有する下流側カゴ置き台と
を有し、
前記下流側カゴ置き台の天板の上面の高さは、前記ショッピングカートの前記荷台の底部よりも低く、
前記下流側カゴ置き台は、前記ショッピングカートの荷台に搭載された前記買い物カゴの後端が前記商品登録装置の顧客側面よりも前記商品登録装置を操作する操作者の操作位置側へ配置されるようオフセットして設けられている
ことを特徴とするレジカウンタ。
【請求項３】
前記下流側カゴ置き台は、前記ショッピングカートの荷台に搭載された前記買い物カゴの後端が前記商品登録装置の顧客側面よりも前記商品登録装置を操作する操作者の操作位置側へ配置されるようオフセットして設けられていることを特徴とする請求項１に記載のレジカウンタ。
【請求項４】
前記カゴ置き台の天板は、商品登録装置の設置位置より上流部分と下流部分の少なくとも一方が、高さを調整可能に構成されていることを特徴とする請求項１から請求項３のいずれか１項に記載のレジカウンタ。
【発明の詳細な説明】
【技術分野】
【０００１】
本発明は、レジカウンタに関する。
【背景技術】
【０００２】
スーパーマーケット等の小売店では、ショッピングカートを利用して買い物をすることが広く行われている。顧客は、買い物カゴをショッピングカートの荷台に搭載して商品を買い物カゴの中に入れていき、最後に、会計のためにレジカウンタへ向かう。
従来のレジカウンタは、該レジカウンタに設けられた商品登録装置より上流側部分において、その天板がショッピングカートの荷台よりも低い高さ位置に設置され、ショッピングカートに買い物カゴを載せたまま、買い物カゴがレジカウンタの天板の上方にくる位置（レジを操作する店員の手が届く位置）までショッピングカートを前進させることができるように構成されている（例えば、特許文献１参照）。これにより、顧客はショッピングカートから買い物カゴを下ろすことなく、会計を行うことが可能である。
【先行技術文献】
【特許文献】
【０００３】
【特許文献１】特開平８−７０２１号公報
【発明の概要】
【発明が解決しようとする課題】
【０００４】
この場合、上述のように顧客がショッピングカートをレジカウンタに設けられた商品登録装置より上流側部分の所定位置まで移動させると、その次は店員がレジ（商品登録装置）を操作してショッピングカート内の商品を商品登録処理する段階となることから、顧客はショッピングカートおよびその中の商品の取り扱いを店員に任せ、商品登録が済んだ商品の受け取りと代金の支払いのために、下流側へ歩いていってしまうことが多くある。その結果、商品登録処理が終わった後には、空のショッピングカートが上記上流側部分の所定位置に取り残されてしまい、次の顧客にとって邪魔になる。そのため、レジを操作する店員が手を伸ばしてこのショッピングカートを下流側へ移動させたり、顧客に声を掛けてショッピングカートを下流側へ移動してもらうようお願いしたりする手間が生じ、多数の顧客の会計を迅速に行うことが難しかった。
【０００５】
本発明は上記の点に鑑みてなされたものであり、その目的は、レジカウンタの商品登録装置が配置される位置より上流側にショッピングカートが放置された状態となるのを防止することにある。
【課題を解決するための手段】
【０００６】
本発明は上記の課題を解決するためになされたものであり、商品登録の際に買い物カゴを載置することが可能なカゴ置き台を備えたレジカウンタにおいて、
前記買い物カゴをショッピングカートの荷台に搭載した状態で、該買い物カゴを商品登録装置の設置位置の上流側における前記カゴ置き台の上面上方に配置できないよう規制する規制手段と、前記商品登録装置の設置位置の下流側において、前記商品登録装置に隣接し、前記レジカウンタの端部に支持され、前記規制手段を設けないことによって、前記ショッピングカートの荷台に搭載した状態で前記買い物カゴが上面上方に配置可能な空間を有する下流側カゴ置き台とを有し、前記下流側カゴ置き台の天板の上面の高さは、前記ショッピングカートの前記荷台の底部よりも低いことを特徴とする。
これにより、買い物カゴをショッピングカートの荷台に搭載した状態で、商品登録装置の設置位置より上流部分における前記カゴ置き台の上面上方に、買い物カゴが位置することなく、お客は自身にてショッピングカート上の買い物カゴを、前記上流部分におけるカゴ置き台に置くことになる。それにより、空のショッピングカートがお客の目の前に位置するようになるので、必然的にお客はその空のショッピングカートと共に下流方向へ移動することを促すことができる。また、上流部分にカゴ置き台を設けることで、ショッピングカートを利用しないお客の買い物カゴをそのまま載置させることができる。
また、本発明は、商品登録の際に買い物カゴを載置することが可能なカゴ置き台を備えたレジカウンタにおいて、
前記買い物カゴをショッピングカートの荷台に搭載した状態で、該買い物カゴを商品登録装置の設置位置の上流側における前記カゴ置き台の上面上方に配置できないよう規制する規制手段と、前記商品登録装置の設置位置の下流側において、前記商品登録装置に隣接し、前記レジカウンタの端部に支持され、前記規制手段を設けないことによって、前記ショッピングカートの荷台に搭載した状態で前記買い物カゴが上面上方に配置可能な空間を有する下流側カゴ置き台とを有し、前記下流側カゴ置き台の天板の上面の高さは、前記ショッピングカートの前記荷台の底部よりも低く、前記下流側カゴ置き台は、前記ショッピングカートの荷台に搭載された前記買い物カゴの後端が前記商品登録装置の顧客側面よりも前記商品登録装置を操作する操作者の操作位置側へ配置されるようオフセットして設けられていることを特徴とする。
【００１０】
また、本発明は、上記レジカウンタにおいて、前記下流側カゴ置き台は、前記ショッピングカートの荷台に搭載された前記買い物カゴの後端が前記商品登録装置の顧客側面よりも前記商品登録装置を操作する操作者の操作位置側へ配置されるようオフセットして設けられていることを特徴とする。
これにより、下流部分におけるショッピングカートは、より操作者に近い位置に配置されるようになり、商品登録を終えた商品を下流部分に位置するショッピングカートに載った買い物カゴに入れる場合でも、操作者は手を伸ばさずに入れることができる。
【００１１】
また、本発明は、上記レジカウンタにおいて、前記カゴ置き台の天板は、商品登録装置の設置位置より上流部分と下流部分の少なくとも一方が、高さを調整可能に構成されていることを特徴とする。
これにより、高さ調整が可能なことで、利用するショッピングカートが変わり、床面からの該カートの荷台の底部までの高さが変わった場合でも、迅速に対応することができる。
【発明の効果】
【００１３】
本発明によれば、レジカウンタの商品登録装置が配置される位置より上流側にショッピングカートが放置された状態となるのを防止することが可能である。
【図面の簡単な説明】
【００１４】
【図１】本発明の一実施形態によるレジカウンタの外観を示す正面図、側面図、および上面図である。
【図２】顧客が買い物をする際に利用するショッピングカートの外観を示す側面図である。
【図３】ショッピングカートがレジカウンタの上流部分にある場合の配置図である。
【図４】ショッピングカートがレジカウンタの下流部分にある場合の配置図である。
【図５】補助台の取り付け構造を示す図である。
【図６】レジカウンタの変形例を示す上面図である。
【発明を実施するための形態】
【００１５】
以下、図面を参照しながら本発明の実施形態について詳しく説明する。
図１は、本発明の一実施形態によるレジカウンタ１の外観を示す正面図、側面図、および上面図である。レジカウンタ１は、スーパーマーケット等の小売店において顧客の購入する商品の会計を行うために用いられる設備であり、商品登録装置（レジ）１０とカゴ置き台２０を備えている。図１では、商品登録装置１０を操作する店員の立ち位置側となる方向からレジカウンタ１を見た図を正面図としている。
【００１６】
商品登録装置１０は、顧客の購入商品を特定する作業である商品登録処理を行うために店員が操作する装置であり、バーコード読取部１０１、タッチパネル付き表示部１０２、顧客側表示部１０３、キー入力部１０４、精算処理用レシート印字部１０５、カード読取部１０６、コントローラ１０７等を備えている。
【００１７】
バーコード読取部１０１は、商品に付されているバーコードを光学的に読み取る装置である。
【００１８】
タッチパネル付き表示部１０２は、バーコード読取部１０１によりバーコードが読み取られた商品の情報（例えば、商品名、単価、合計金額等）や、各種のソフトキー等を画面上に表示するとともに、ソフトキーへのタッチ入力を検知する装置である。ソフトキーは、例えば、同じ商品を複数購入する場合に購入個数を入力するための数字キーや、バーコードが付されていない商品を特定するためのプリセットされた商品指定キー等である。
【００１９】
顧客側表示部１０３は、バーコード読取部１０１によりバーコードが読み取られた商品の情報等を表示する装置であり、その画面は顧客が視認可能な方向に向けられている。
【００２０】
キー入力部１０４は、各種の入力を行うためのキーボードである。
【００２１】
精算処理用レシート印字部１０５は、一取引毎に当該取引の精算情報をバーコード化して印字した精算処理用レシートを発行する装置である。精算情報とは、例えば、購入商品の合計金額や、各取引を識別する識別番号である。顧客はこの精算処理用レシートを持ってレジカウンタ１とは別の場所に設置されている精算装置のところへ行き、店員または顧客自身が精算装置を操作して、精算処理用レシートのバーコードを精算装置に読み取らせる。これにより、精算情報が購入商品の合計金額の場合は、精算装置がその取引について購入商品の合計金額を把握可能である。また、精算情報が取引の識別番号の場合は、この識別番号に基づいて、精算装置はネットワークを介し商品登録装置１０から当該取引について購入商品の合計金額の情報を取得可能である。このようにして知得された購入商品の合計金額に従って、商品代金の支払いが行われる。なお、バーコードに代えて２次元コードを精算処理用レシートに印字するようにしてもよい。
【００２２】
カード読取部１０６は、例えば会員カードに磁気的または電子的に記録されている情報を読み取る装置である。
【００２３】
コントローラ１０７は、バーコード読取部１０１、タッチパネル付き表示部１０２、顧客側表示部１０３、キー入力部１０４、精算処理用レシート印字部１０５、およびカード読取部１０６の制御を行う装置（コンピュータ）である。
【００２４】
カゴ置き台２０は、商品登録装置１０による商品登録処理の作業の際に顧客の購入商品が入った買い物カゴを一時的に載置するために用いられるものであり、買い物カゴを載置するための略長方形の形状を有する天板２０１、天板２０１をその長手方向端部付近の下側から支持する脚部２０２（上流側脚部２０２Ａ，下流側脚部２０２Ｂ）、天板２０１を下流側へ延長するよう下流側脚部２０２Ｂに付設された補助台２０３、および、カゴ置き台２０の背面側（図１紙面奥側）を覆う背面板２０４等により構成されている。
【００２５】
なお、カゴ置き台２０は天板２０１の長手方向が顧客の動線Ｚ方向となるように設置される。動線Ｚの起点側が上流、終点側が下流であり、顧客は上流から動線Ｚに沿って下流へ向けて移動していく。
【００２６】
図２は、顧客が買い物をする際に利用するショッピングカート５０の外観を示す側面図である。ショッピングカート５０は、前輪５１Ａおよび後輪５１Ｂが支持体５１Ｃにより連結されてなる台車部５１、支持体５１Ｃの後端部に接続され後輪５１Ｂの上側から略上方へ向けて立設する支柱部５２、および、支柱部５２の上部から前方へ向けて突出し買い物カゴ６０を下側から支持して収容可能な荷台５３等により構成されている。床面から荷台５３の底部までの高さをＨとする。
【００２７】
ここで、図１のレジカウンタ１において、カゴ置き台２０の天板２０１および補助台２０３の高さは、ショッピングカート５０の荷台５３の底部の高さＨを基準として次のように設定されている。
【００２８】
すなわち、床面からカゴ置き台２０の天板２０１の上面までの高さＨ１は、ショッピングカート５０の荷台５３底部の高さＨよりも高くなっている。そのため、レジカウンタ１の上流部分においてショッピングカート５０をカゴ置き台２０へ近づけていった時、ショッピングカート５０の荷台５３の底部がカゴ置き台２０の天板２０１上面と接触（当接）することとなり、ショッピングカート５０の荷台５３はカゴ置き台２０の天板２０１上に乗り上げることができない（図３）。
【００２９】
よって、商品の会計をしようと店内の商品陳列エリアからレジカウンタ１へとやって来た顧客は、買い物カゴをショッピングカート５０の荷台５３に載せたままの状態では、天板２０１の指定位置Ａ（図１上面図参照）に買い物カゴが配置されるようにショッピングカート５０をカゴ置き台２０へ接近させることができず、自らの手で買い物カゴを荷台５３から降ろして天板２０１の指定位置Ａへ移動させる必要が生じる。その結果、買い物カゴを移動させた後には空のショッピングカート５０が顧客の前に残されることになるので、必然的に顧客がそのショッピングカート５０を下流側へと前進させる動作を行うことが期待される。したがって、レジカウンタ１の上流側にショッピングカート５０が放置された状態となるのを防止することができる。
なお、図３においては、ショッピングカート５０がある程度カゴ置き台２０へ進入した後に、天板２０１とショッピングカート５０の荷台５３の底部とが接触する図であるが、天板２０１の高さを僅かに上げて、ショッピングカート５０の荷台５３の先端あるいは底部先端付近と天板２０１とが接するようにしてもよい。これにより、ショッピングカート５０を利用する顧客は、天板２０１の指定位置Ａ（図１上面図参照）に買い物カゴが配置されるようにショッピングカート５０をカゴ置き台２０へ接近させることができないことを、直ぐに把握できるようになる。
【００３０】
なお、店員は、天板２０１の指定位置Ａに載置された買い物カゴから商品を取り出し、商品登録装置１０を用いて顧客の購入商品の商品登録を行っていく。
【００３１】
一方、床面からカゴ置き台２０の補助台２０３の上面までの高さＨ２は、ショッピングカート５０の荷台５３底部の高さＨよりも低くなっている。そのため、レジカウンタ１の下流部分においてショッピングカート５０をカゴ置き台２０へ近づけていった時、ショッピングカート５０の荷台５３の底部はカゴ置き台２０の補助台２０３上面と接触（当接）せず、ショッピングカート５０の荷台５３はカゴ置き台２０の補助台２０３上に乗り上げることが可能である（図４）。
【００３２】
よって、レジカウンタ１の上流部分で上記のように買い物カゴをショッピングカート５０の荷台５３から降ろした顧客は、空になったショッピングカート５０を下流側へ前進させて、さらに荷台５３が補助台２０３の指定位置Ｂ（図１上面図参照）に配置されるようにショッピングカート５０をカゴ置き台２０へ接近させることができる。
【００３３】
なお、店員は、このように移動されたショッピングカート５０の荷台５３にあらたな買い物カゴを搭載して、当該買い物カゴに商品登録が済んだ商品を入れていく。こうして、商品登録処理の作業が進められる。
【００３４】
なお、カゴ置き台２０の補助台２０３は、図１に示されるように、天板２０１に対して店員の立ち位置側へオフセットして設けられている。これにより、ショッピングカート５０の荷台５３を店員側へより近づけることができ、店員が商品登録済みの商品用の買い物カゴをショッピングカート５０の荷台５３に載せやすくなる。
また、図１に示されるように、商品登録装置１０は天板２０１の下流側に寄せて設置されており、これにより補助台２０３と商品登録装置１０が互いに隣接している。そのため、補助台２０３の指定位置Ｂと店員との距離が近くなり、店員が商品登録済みの商品用の買い物カゴをショッピングカート５０の荷台５３に載せやすくなる。
【００３５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３６】
例えば、カゴ置き台２０の背面板２０４がショッピングカート５０の前輪５１Ａと接触することにより、ショッピングカート５０をカゴ置き台２０へ接近させることができないようになっていてもよい。また、図３において、天板２０１の高さをショッピングカート５０の荷台５３の底部よりも低くした場合には、天板２０１の側端のうち、ショッピングカート５０が進入してくる側端部に、ショッピングカート５０の進入を防ぐための衝立状の部材を配置し、ショッピングカート５０を天板２０１へ進入することを防ぐようにしてもよい。
【００３７】
また、図５に示されるように、補助台２０３がＬ字型フレーム２０９によって下流側脚部２０２Ｂに取り付けられており、このＬ字型フレーム２０９が複数のネジ穴を選択的に使用することによってその高さを可変とされていてもよい。また、天板２０１の上流部分も補助台２０３と同様の構成で高さ可変とされていてもよい。これにより、店舗によって利用されるショッピングカート５０が異なったとしても、適宜、天板２０１や補助台２０３の高さを調整し対応することができる。
【００３８】
また、図６に示されるように、補助台２０３が店員の立ち位置側へ延在し、この延在部分に精算装置７０を設置したレジカウンタの構成としてもよい。
【００３９】
また、補助台２０３の上面に、ショッピングカート５０をカゴ置き台２０へ接近させて図４のような配置とするよう、顧客に対して指示する注意書きを付してもよい。
【００４０】
また、商品登録装置１０が精算装置の機能を有していてもよい。この場合、精算処理用レシートを用いず、例えば電子マネーによる決済を行えるようにしてもよい。さらに、天板２０１の下部にドロアを設置してもよい。
また、上記の実施形態では、ショッピングカート５０の荷台５３の底部が天板２０１に接することで、ショッピングカート５０の荷台５３（買い物カゴ）が天板２０１の指定位置Ａ（図１上面図参照）に配置することができないようにする説明をしたが、これに限らず、ショッピングカート５０に、買い物カゴ６０を支える二本の平行な支持部材を設け、その二本の支部部材の間に買い物カゴ６０を入れ、買い物カゴ６０上縁部で対向する二辺に設けられた折り曲げ片が、前記支持部材に係止するようにして、買い物カゴ６０をショッピングカート５０上に乗せる方式が考えらえる。この場合には、買い物カゴ６０自身が露出しながら、ショッピングカート５０により移動することになるので、天板２０１と買い物カゴ６０とが接するような高さ位置に天板２０１が位置していることが必要である。
【符号の説明】
【００４１】
１…レジカウンタ  １０…商品登録装置  ２０…カゴ置き台  １０１…バーコード読取部  １０２…タッチパネル付き表示部  １０３…顧客側表示部  １０４…キー入力部  １０５…精算処理用レシート印字部  １０６…カード読取部  １０７…コントローラ  ２０１…天板  ２０２…脚部  ２０３…補助台  ２０４…背面板  ５０…ショッピングカート  ５１…台車部  ５２…支柱部  ５３…荷台  ６０…買い物カゴ  ７０…精算装置
【図１】
0005857630.tif 000002
【図２】
0005857630.tif 000003
【図３】
0005857630.tif 000004
【図４】
0005857630.tif 000005
【図５】
0005857630.tif 000006
【図６】
0005857630.tif 000007